(57)【特許請求の範囲】
【請求項１】
郵便物を受取人に配達する際に、前記受取人の要求により、前記郵便物の差出人の正当性を確認するための郵便システムであって、
前記差出人の住所・名前情報が記憶された郵便局カードから読取った住所・名前情報と、前記郵便物から読取った差出人の住所・名前情報とを照合する住所・名前照合手段と、
前記住所・名前照合手段による照合の結果、両者が整合しないとき、当該郵便物を返却する返却手段と、
前記住所・名前照合手段による照合の結果、前記両者が整合するとき、前記郵便局カードから読取った住所・名前情報に対し、自己の郵便ポストＩＤ及び前記郵便物のポスト投函日時情報を付加して差出人確認情報を生成する確認情報生成手段と、
前記確認情報生成手段により生成された差出人確認情報を暗号化してコード化するコード化手段と、
前記コード化手段により得られたコードパターンを当該郵便物に付与するコード付与手段と、
を備えた郵便ポスト装置と、
前記郵便ポスト装置により付与されたコードパターンを前記郵便物から読取って復号し、得られた住所・名前情報、郵便ポストＩＤ及び前記ポスト投函日時情報のうち、少なくとも住所・名前情報を出力するコード読取手段と、
を備えたことを特徴とする郵便システム。
【請求項２】
郵便物が投函される際に、前記郵便物の差出人から提供されて少なくとも当該差出人の住所・名前情報が記憶された郵便局カードに基づいて、前記差出人の正当性を確認するための郵便ポスト装置であって、
前記郵便局カードから読取った住所・名前情報と、前記郵便物から読取った差出人の住所・名前情報とを照合する住所・名前照合手段と、
前記住所・名前照合手段による照合の結果、両者が整合しないとき、当該郵便物を返却する返却手段と、
前記住所・名前照合手段による照合の結果、前記両者が整合するとき、前記郵便局カードから読取った住所・名前情報に対し、自己の郵便ポストＩＤ及び前記郵便物のポスト投函日時情報を付加して差出人確認情報を生成する確認情報生成手段と、
前記確認情報生成手段により生成された差出人確認情報を暗号化してコード化するコード化手段と、
前記コード化手段により得られたコードパターンを当該郵便物に付与するコード付与手段と、
を備えたことを特徴とする郵便ポスト装置。
【請求項３】
請求項２に記載の郵便ポスト装置において、
予め差出人の生体情報が記憶された前記郵便局カードが提供されたとき、前記差出人の生体情報を測定し、得られた生体情報と前記郵便局カード内の生体情報とを照合する生体情報照合手段と、
前記生体情報照合手段による照合の結果、両者が整合するとき、前記郵便物が投函されるポスト投函口を開状態に制御するポスト開閉制御手段と、
を備えたことを特徴とする郵便ポスト装置。
【請求項４】
請求項３に記載の郵便ポスト装置において、
前記コード付与手段による付与が完了した場合、前記生体情報照合手段により測定された生体情報を前記郵便局カードに更新記憶させる生体情報更新手段、
を備えたことを特徴とする郵便ポスト装置。
【請求項５】
請求項２乃至請求項４のいずれか１項に記載の郵便ポスト装置において、
前記郵便物の形状及び／又は重量を計測し、得られた計測結果をコード化する計測結果コード化手段と、
前記計測結果コード化手段により得られた郵便物コードパターンを前記郵便物に付与する郵便物コード付与手段と、
を備えたことを特徴とする郵便ポスト装置。
【請求項６】
請求項５に記載の郵便ポスト装置において、
前記計測結果コード化手段は、前記計測と共に郵便物を撮影し、得られた撮影結果を前記計測結果と共にコード化することを特徴とする郵便ポスト装置。
【発明の詳細な説明】
【０００１】
【発明の属する技術分野】
本発明は、郵便物からその差出人の身元を特定する郵便システム及び装置に関する。
【０００２】
【従来の技術】
従来から、葉書や封書などの形態で文書を相手先（以下、受取人という）に配達する制度として郵便システムが広く用いられている。
【０００３】
係る郵便システムにおいては、例えば封書の場合、差出しの際に、差出人と受取人の両者の住所、氏名及び郵便番号が明記されて料金分の切手が貼付けられた封書が郵便ポストに投函される。しかる後、この封書は、管轄の郵便局に集配され、幾つかの郵便局を介して受取人に配達される。
【０００４】
これは、郵便システムのうちの標準的な例を示している。一方、非標準的な例として、差出人が自己の住所と名前等を書き忘れた場合でも、受取人の住所と名前が封書に明記されていれば、封書が受取人に配達される。
【０００５】
【発明が解決しようとする課題】
しかしながら、以上のような郵便システムでは、差出人不明の郵便物であっても受取人に配達されてしまうので、受取人に不安感を与える場合がある。
【０００６】
本発明は上記実情を考慮してなされたもので、差出人不明の不審な郵便物が配送されることを阻止でき、受取人に安心感を与え得る郵便システム及び装置を提供することを目的とする。
【０００７】
【課題を解決するための手段】
第１の発明は、郵便物を受取人に配達する際に、前記受取人の要求により、前記郵便物の差出人の正当性を確認するための郵便システムであって、前記差出人の住所・名前情報が記憶された郵便局カードから読取った住所・名前情報と、前記郵便物から読取った差出人の住所・名前情報とを照合する住所・名前照合手段と、前記住所・名前照合手段による照合の結果、両者が整合しないとき、当該郵便物を返却する返却手段と、前記住所・名前照合手段による照合の結果、前記両者が整合するとき、前記郵便局カードから読取った住所・名前情報に対し、自己の郵便ポストＩＤ及び前記郵便物のポスト投函日時情報を付加して差出人確認情報を生成する確認情報生成手段と、前記確認情報生成手段により生成された差出人確認情報を暗号化してコード化するコード化手段と、前記コード化手段により得られたコードパターンを当該郵便物に付与するコード付与手段と、を備えた郵便ポスト装置と、前記郵便ポスト装置により付与されたコードパターンを前記郵便物から読取って復号し、得られた住所・名前情報、郵便ポストＩＤ及び前記ポスト投函日時情報のうち、少なくとも住所・名前情報を出力するコード読取手段と、を備えた郵便システムである。
【０００８】
ここで、「コードパターン」は、後述する二次元コード又は通常のバーコード等が適宜使用可能となっている。また、「付与」は、貼付、印刷又は押印などが適宜使用可能となっている。 
【００１１】
この第１の発明は、郵便ポスト装置による郵便局カードの比較照合を用いるものである。このように構成して、差出人不明の不審な郵便物が配送されることを阻止でき、受取人に安心感を与えることができる。
【００１２】
なお、以上の発明は、全体を「システム」として表現した場合であるが、これに限らず、全体又は各装置を「装置」、「方法」、「プログラム」又は「コンピュータ読取り可能な記憶媒体」として表現してもよいことは言うまでもない。
【００１３】
【発明の実施の形態】
以下、本発明の各実施形態について図面を用いて説明する。
（第１の実施形態）
図１は本発明の第１の実施形態に係る郵便システムの構成を示す模式図である。この郵便システムは、差出人Ｓから差し出された郵便物ｍを配達員Ｐが受取人Ｒに配達し、且つ差出人Ｓの差出人特定情報Ｄｓを受取人Ｒに提示可能なものである。
【００１４】
具体的には、この郵便システムは、郵便物ｍに注目した場合の引受局１０、中継局２０及び配達局３０からなる配達経路に関し、引受局１０となる郵便局には、引受け時に使用される差出人特定情報発行部１１が備えられ、配達局３０となる郵便局には、配達時に携帯される差出人情報取得装置３１が備えられている。
【００１５】
なお実際には、各郵便局は、引受、中継又は配達を専門に扱う局を除き、通常、自局を経由する郵便物ｍ毎に引受局１０、中継局２０、配達局３０又は引受・配達局１０・３０として機能するので、各郵便局がそれぞれ差出人特定情報発行部１１及び差出人情報取得装置３１を備えている。
【００１６】
但し、ここでは説明の便宜上、ある郵便物ｍの配達経路に注目した３種類の郵便局をそれぞれ引受局１０、中継局２０又は配達局３０と呼んでいる。また、前述した引受、中継又は配達を専門に扱う局に関しては、ここでいう引受局１０、中継局２０又は配達局３０と同様である。
【００１７】
ここで、引受局１０は、郵便物ｍの配達を引受ける際の郵便局であり、郵便物ｍを区分して中継局２０に運送するための通常の郵便業務に加え、本発明に関する引受け業務を行なうための差出人特定情報発行部１１を備えている。
【００１８】
差出人特定情報発行部１１は、郵便物ｍの配達を引受ける際に、差出人Ｓから提示された差出人特定情報Ｄｓを暗号化した後にコード化して郵便物ｍに付与するものであり、具体的には図２に示すように、情報入力部１２、暗号化部１３、コード生成部１４及びコード付与部１５を備えている。
【００１９】
なお、差出人特定情報発行部１１は、郵便物ｍに記載された差出人情報ｄｓと、差出人Ｓから提示された差出人特定情報Ｄｓとが正しく対応する旨が郵便局員によって確認された場合に使用される。
【００２０】
ここで、郵便物ｍは、封書、葉書又は小包等、任意の形態のものが使用可能であるが、図３（ａ）に差出時の例を示すように、少なくとも受取人Ｒの住所と名前を含む受取人情報ｄｒと、少なくとも差出人Ｓの住所と名前を含む差出人情報ｄｓとが外部から視認可能に記載されていることが必要である。
【００２１】
なお、郵便物ｍは、図３（ｂ）に配達時の例を示すように、引受局１０にて差出人Ｓの正当性が確認された後では、後述する二次元コードＣ[Dsc’]及び確認済マークＭｃが付与されたものとなる。
【００２２】
また、いずれにしても図３の例では受取人情報ｄｒと差出人情報ｄｓとの両者が表面側に記載されているが、これに限らず、受取人情報ｄｒが表面側に記載され、差出人情報ｄｓが裏面側に記載されていてもよい。
【００２３】
情報入力部１２は、差出人Ｓから提示された差出人特定情報Ｄｓに基づいて、郵便局員の入力操作により、差出人情報ｄｓが入力されると、この差出人情報ｄｓに少なくとも本人確認ＩＤ（又は郵便物ＩＤ）を付加して差出人確認情報Ｄscを作成し、この差出人確認情報Ｄscを暗号化部１３に入力するものである。
【００２４】
ここで、差出人確認情報Ｄscは、図４に一例を示すように、差出人住所、差出人名前、本人確認方法、本人確認ＩＤ、本人確認日時、本人確認担当局ＩＤ及び本人確認担当者ＩＤといった各項目毎の情報から構成されている。但し、差出人確認情報Ｄscは、図４の例に限らず、少なくとも差出人住所、差出人名前、及び本人確認ＩＤ（又は郵便物ＩＤ）を含んで構成されていればよく、他の情報を適宜、追加、変更、削除して構成してもよい。なお、追加情報としては、例えば料金情報などがある。
【００２５】
暗号化部１３は、情報入力部１２から入力された差出人確認情報Ｄscを暗号化し、得られた暗号化差出人確認情報Ｄsc’をコード生成部１４に送出するものである。
【００２６】
コード生成部１４は、暗号化部１３から受けた暗号化差出人確認情報Ｄsc’を二次元コード化し、得られた二次元コード情報をコード付与部１５に送出するものである。
【００２７】
コード付与部１５は、コード生成部１４から受けた二次元コード情報に従って、図３（ｂ）に示したように、二次元コードＣ[Dsc’]を郵便物ｍに付与するものである。
【００２８】
ここで、二次元コードＣ[Dsc’]は、図５又は図６に示すように、バーコードがＸ方向とＹ方向との二次元で情報をエンコードしたシンボルを有している。係る二次元コードは、例えば図５に示す如き、バーコードを積み上げた形のスタック型二次元コードと、図６に示す如き、碁盤のマスにセルを置いた様なマトリックス型二次元コードといった様々な種類がある。
【００２９】
スタック型二次元コードは、二次元バーコードとも呼ばれており、バーコードのようにスタートコードやストップコードと、これらの前後に付くクワイエットゾーンとから構成されている。
【００３０】
マトリックス型二次元コードは、四角又はＬ型ガイドセルがあるタイプや、ユニークな形の切り出しマークを持つタイプなどがある。
【００３１】
以上のような二次元コードＣ[Dsc’]は、従来のバーコードに比べ、極小で情報量が大きなシンボルが作成可能なため情報密度が高いことや、漢字、図形、画像、音声等のバイナリデータのエンコードが可能なこと、誤り訂正機能により、高い信頼性と読取率があること、読取方向に制限がないこと、非接触での読取が可能なこと、及び偽造・変造が困難でセキュリティが高いこと、などの利点がある。
【００３２】
なお、上述した二次元コードＣ[Dsc’]が郵便物ｍに付与されると、図３（ｂ）に示したように、この二次元コードＣ[Dsc’]とは異なり、人間に理解可能な確認済マークＭｃが郵便物ｍに付与される。係る確認済マークＭｃは、差出人特定情報Ｄｓを確認した旨を表すものであり、図示した「確認済、郵便局」に限らず、例えば「差出人身元確認済」のように他の任意のメッセージとしてもよく、あるいは同様の確認済を表す趣旨であれば、他の任意の文字、記号、図形又はこれらの組合せ等が使用可能となっている。
【００３３】
中継局２０は、引受局１０から配達局３０までの間で郵便物ｍを中継するための郵便局である。
配達局３０は、中継局２０から中継された郵便物ｍを受取人情報ｄｒに基づいて、配達員Ｐにより受取人Ｒに届けるための郵便局である。
ここで、配達員Ｐは、配達局３０から郵便物ｍを受取人Ｒまで届けるための郵便局員であり、配達時には差出人情報取得装置３１を携帯し、受取人Ｒから郵便物ｍの差出人確認情報Ｄscの提示を要求されたとき、差出人情報取得装置３１の操作により、郵便物ｍの二次元コードＣ[Dsc’]から得られる差出人確認情報Ｄscを文字形式で提示する役割をもっている。なお、この提示する形式は、文字形式に限らず、人間が理解可能な形式であればよく、例えば記号、記号と文字の組合せ、音声、画像、またはこれらの組合せなどが適宜使用可能となっている。
【００３４】
差出人情報取得装置３１は、図７に示すように、読取部３２、復号部３３及び表示部３４を備えている。
【００３５】
読取部３２は、配達員Ｐの操作により、郵便物ｍの二次元コードＣ[Dsc’]から二次元コード情報を読取り、この二次元コード情報を暗号化差出人確認情報Ｄsc’に変換し、この暗号化差出人確認情報Ｄsc’を復号部３３に送出するものである。
【００３６】
復号部３３は、読取部３２から受けた暗号化差出人確認情報Ｄsc’を復号し、得られた差出人確認情報Ｄscを表示部３４に送出するものである。
【００３７】
表示部３４は、復号部３３から受けた差出人確認情報Ｄscを表示するものであり、差出人確認情報Ｄscの全てを表示する場合に限らず、例えば住所・名前に関する差出人情報Ｄｓのみを表示してもよく、その他、任意の項目に関する情報のみを表示する構成としてもよい。また、表示に限定される必要はなく、例えば表示部３４に代えて、印字出力する出力部を設けてもよく、又は表示部３４と出力部との両者を設けてもよい。
【００３８】
なお、各装置としての差出人特定情報発行部１１及び差出人情報取得装置３１は、それぞれハードウェア構成及び／又はソフトウェア構成により実現可能であるが、ソフトウェア構成を用いて実現される場合、対応する機能を実現させるためのプログラムが予め記憶媒体又はネットワークから差出人特定情報発行部１１及び差出人情報取得装置３１のそれぞれのコンピュータにインストールされる。
【００３９】
次に、以上のように構成された郵便システムの動作を説明する。
差出人Ｓは、予め受取人情報ｄｒと差出人情報ｄｓとを記載した郵便物ｍと、運転免許証又は健康保険証のように差出人Ｓの住所を特定可能な差出人特定情報Ｄｓとを保持して引受局１０に行く。
【００４０】
引受局１０では、差出人Ｓが図３（ａ）の如き郵便物ｍを差し出す際に、この郵便物ｍと差出人特定情報Ｄｓとを引受窓口の郵便局員に提示する。引受窓口の郵便局員は、郵便物ｍに記載された差出人情報ｄｓと、差出人Ｓから提示された差出人特定情報Ｄｓとが正しく対応する旨を確認した後、差出人特定情報発行部１１を操作する。
【００４１】
差出人特定情報発行部１１は、郵便局員の操作により、差出人情報ｄｓ及び本人確認方法（例、運転免許証）が情報入力部１２に入力される。
【００４２】
情報入力部１２は、差出人情報ｄｓ及び本人確認方法が入力されると、これら入力情報に本人確認ＩＤ、本人確認日時、本人確認担当局ＩＤ及び本人確認担当者ＩＤを付加して図４に示したように差出人確認情報Ｄscを作成し、この差出人確認情報Ｄscを暗号化部１３に入力する。
【００４３】
暗号化部１３は、この差出人確認情報Ｄscを暗号化し、得られた暗号化差出人確認情報Ｄsc’をコード生成部１４に送出する。
【００４４】
コード生成部１４は、この暗号化差出人確認情報Ｄsc’を二次元コード化し、得られた二次元コード情報をコード付与部１５に送出する。
【００４５】
コード付与部１５は、この二次元コード情報に従って、図３（ｂ）に示すように、二次元コードＣ[Dsc’]を郵便物ｍに付与する。
【００４６】
また、窓口の郵便局員は、二次元コードＣ[Dsc’]が正しく付与されたことを確認した後に、別途、差出人特定情報Ｄｓを確認した旨を視認可能に表す確認済マークＭｃを郵便物ｍに付与する。
【００４７】
しかる後、郵便物ｍは、引受局１０から中継局２０を経由して配達局３０に配送される。配達局３０の配達員Ｐは差出人情報取得装置３１を携帯し、郵便物ｍを受取人Ｒに配達する。
【００４８】
ここで、郵便物ｍを受取人Ｒに渡すとき、配達員Ｐは、受取人Ｒから差出人確認情報Ｄscの提示を要求される場合がある。
この場合、配達員Ｐは、差出人情報取得装置３１の操作により、郵便物ｍの二次元コードＣ[Dsc’]から得られる差出人確認情報Ｄscを文字形式で提示する。
【００４９】
具体的には、差出人情報取得装置３１の読取部３２は、配達員Ｐの操作により、郵便物ｍの二次元コードＣ[Dsc’]から二次元コード情報を読取り、この二次元コード情報を暗号化差出人確認情報Ｄsc’に変換し、この暗号化差出人確認情報Ｄsc’を復号部３３に送出する。
【００５０】
復号部３３は、この暗号化差出人確認情報Ｄsc’を復号し、得られた差出人確認情報Ｄscを表示部３４に送出する。
表示部３４は、図４に示すように、この差出人確認情報Ｄscを表示する。
【００５１】
上述したように本実施形態によれば、郵便局員が差出人Ｓから郵便物ｍを受け付ける際に、差出人Ｓから提示された身分証明書の差出人特定情報Ｄｓと、郵便物ｍの差出人情報ｄｓとを比較照合し、整合していれば、差出人特定情報発行部１１に差出人情報ｄｓ等を入力すると、この入力内容を含む差出人確認情報Ｄscを表す二次元コードが当該郵便物ｍに付与される。この郵便物ｍは、配達局３０に転送されて配達局３０の郵便局員により配達される。
【００５２】
これにより、郵便物ｍを受取人に配達する際に、受取人Ｒの要求により、配達員Ｐが差出人情報取得装置３１を操作し、差出人情報取得装置３１が郵便物ｍから読取った差出人確認情報Ｄscを出力するので、差出人不明の不審な郵便物が配送されることを阻止でき、受取人に安心感を与えることができる。
【００５３】
なお、本実施形態は、二次元コードＣ[Dsc’]を郵便物ｍに付与する場合を説明したが、これに限らず、二次元コードＣ[Dsc’]に代えて、無線により読出可能であり且つ差出人確認情報を保持する電波タグ（ＲＡＩＦ）を郵便物ｍに付与する構成としても、本発明を同様に実施して同様の効果を得ることができる。
【００５４】
（第２の実施形態）
図８は本発明の第２の実施形態に係る郵便システムの構成を示す模式図であり、図９は同システムに用いられる郵便局カードの構成を示す模式図であって、前述した図面と同一部分には同一符号を付してその詳しい説明を省略し、ここでは異なる部分について主に述べる。
すなわち、本実施形態は、第１の実施形態の変形例であり、差出人特定情報Ｄｓの確認を、引受局１０の引受窓口に代えて、高機能化した郵便ポストにより行なうものである。
【００５５】
具体的には図８に示すように、差出人特定情報Ｄｓを示す郵便局カード４０と、この郵便局カード４０に基づいて、差出人特定情報Ｄｓを確認するための郵便ポスト装置５０と、郵便局カード４０を発行するためのカード作成機７０とを用いている。これに伴い、前述した引受局１０は、差出人特定情報発行部１１に代えて、カード作成機７０を備えたものとなっている。
【００５６】
ここで、郵便局カード４０は、郵便物ｍの投函時に差出人Ｓに携帯されて郵便ポスト装置５０に挿入されるものであり、図９に示すように、Ｉ／Ｆ部４１、個人情報部４２、住所・名前部４３、バイオメトリクス部４４及び暗号バージョン部４５を備えている。
【００５７】
Ｉ／Ｆ部４１は、後述する郵便ポスト装置５０と郵便局カード４０内との間のインターフェイス機能を有するものである。
【００５８】
個人情報部４２は、後述するカード作成機７０からＩ／Ｆ部４１を介して当該カード所有者の個人情報が記憶されるものであり、図１０（ａ），（ｂ）に示すように、住所・名前部４３及びバイオメトリクス部４４からなる暗号化情報Ｅ[Dsc，Dbs]と、暗号バージョン部４５としての暗号バージョン情報Ｅｖとを含んだ暗号化個人情報Ｅｓからなる。なお、図１０（ａ），（ｂ）は、暗号バージョン情報Ｅｖが異なると、同一の情報Dsc，Dbsでも、暗号化情報Ｅ[Dsc，Dbs]が異なる旨を表している。
【００５９】
住所・名前部４３は、暗号化情報Ｅ[Dsc，Dbs]のうち、図１１に示す如き、カード所有者の住所と名前などの差出人情報ｄｓを含む差出人確認情報Ｄscが暗号化されて記憶された部分に相当する。図１１に示す差出人確認情報Ｄscは、図４と同様の形式であるが、これに加え、“カード作成日時”を備えている。
【００６０】
バイオメトリクス部４４は、暗号化情報Ｅ[Dsc，Dbs]のうち、図１１に示す如き、例えば虹彩のような個人のバイオメトリクス情報Ｄbsが暗号化されて記憶された部分に相当する。
【００６１】
なお、住所・名前部４３及びバイオメトリクス部４４の各情報Ｄsc，Ｄbsは、図１０に示したように、暗号バージョン情報（例、日時）Ｅｖに基づいて暗号化鍵及び／又は暗号アルゴリズムが変更される暗号化方式により暗号化された暗号化情報Ｅ[Dsc，Dbs]として保持されている。
【００６２】
このため、住所・名前部４３及びバイオメトリクス部４４は、実際には図１０に示したように、図９とは異なって互いに区別できない状態で各情報Dsc，Dbsを保持するが、図９では模式的に区別して表している。また、これら住所・名前部４３及びバイオメトリクス部４４の各情報Dsc，Dbsは、暗号化情報Ｅ[Dsc，Dbs]の復号法を知る郵便局により書換可能となっている。
【００６３】
暗号バージョン部４５は、図１０に示したように、住所・名前部４３及びバイオメトリクス部４４の暗号化に用いられた暗号化方式のバージョンを示す暗号バージョン情報Ｅｖが読取可能に記憶されている。ここで、暗号バージョン情報Ｅｖは、バージョン番号のようにバージョンを直接的に示す情報に限らず、例えばポストＩＤとポスト投函日時との組のようにバージョンを間接的に示す情報でもよい。また、暗号バージョン情報Ｅｖは、暗号化されてない平文状態で記憶された例を述べるが、これに限らず、所定の暗号化方式（日時等で変更されない暗号化方式）により暗号化された状態、で記憶されてもよい。
【００６４】
なお、郵便局カード４０は、カード形状をもつ単体装置に限らず、任意形状をもつ単体装置、あるいは任意形状をもつ携帯電話等の一部としても実現可能である。また、郵便局カード４０は、郵便ポスト装置５０に挿入される形態に限らず、郵便ポスト装置５０に着脱されてもよく、あるいは近距離の無線手段を用いて郵便ポスト装置５０と通信する構成としてもよい。
【００６５】
一方、郵便ポスト装置５０は、図１２（ａ）に示す如き郵便物ｍが投函されると、差出人Ｓの正当性を確認し、順次、図１２（ｂ）、図１３（ａ）及び図１３（ｂ）に示す如き、確認済マークＭｃ及び二次元マークＣ[Dsw’，Dm’]，Ｃ[Dsc’，Dbs’，Dp’]を付与して格納するものであり、具体的には、カード読取部５１、暗号更新部５２、バイオメトリクス本人認証部５３、照合部５４、ポスト開閉部５５、差出人読取部５６、差出人照合部５７、返却部５８、コード生成部５９、コード付与部６０、郵便物物理情報計測部６１及び格納部６２を備えている。
【００６６】
ここで、カード読取部５１は、挿入された郵便局カード４０から暗号化個人情報Ｅｓを読取り、この暗号化個人情報Ｅｓのうち、暗号化情報Ｅを暗号バージョン情報Ｅｖに基づいて復号し、得られた差出人確認情報Ｄsc及び生体参照情報Ｄbsを暗号更新部５２及び照合部５４へ送る機能と、暗号更新部５２から入力された更新後の暗号化個人情報Ｅｓを上書き保存する機能とをもっている。
【００６７】
暗号更新部５２は、郵便局カード４０の挿入日時又は郵便物のポスト投函日時などに基づいて、予めカード読取部５１から受けた差出人確認情報Ｄsc及び生体参照情報Ｄbsを暗号化し、得られた暗号化情報Ｅ［Ｄsc，Ｄbs］に、この暗号化法に用いた日時を暗号バージョン情報Ｅｖとして付加し、得られた暗号化個人情報Ｅｓを郵便局カード４０に入力する機能をもっている。
【００６８】
バイオメトリクス本人認証部５３は、郵便局カード４０の差出人Ｓから提示された生体情報の一部を読取り、得られた生体測定情報Ｄbs’を照合部５４に送出する機能をもっている。
【００６９】
照合部５４は、カード読取部５１により郵便局カード４０から読み取られた生体参照情報Ｄsbと、バイオメトリクス本人認証部５３により読み取られた生体測定情報Ｄbs’とを照合して両者が整合するか否かを判定する機能と、整合しない場合にはカード読取部５１を制御して郵便局カード４０を返却（排出）させて処理を終了する機能と、整合する場合にはポスト開閉部５５を制御してポスト投函口を開かせる機能とをもっている。
【００７０】
ポスト開閉部５５は、照合部５４に制御され、ポストの投函口を開閉する機能をもっている。
【００７１】
差出人読取部５６は、ポスト投函口から投函された郵便物ｍから文字で記載された差出人情報ｄｓを読み取る機能と、得られた差出人情報ｄｓを差出人照合部５７に渡す機能とをもっている。
【００７２】
差出人照合部５７は、先に郵便局カード４０から読み取られた差出人情報ｄｓと、差出人読取部５６から読み取られた差出人情報ｄｓとを照合して両者が整合するか否かを判定する機能と、整合しない場合には、郵便物カード４０をカード読取部５１から返却すると共に、郵便物ｍを返却部５８から差出人Ｓに返却して、処理を終了する機能と、整合する場合には、確認済マークＭｃを郵便物ｍに付与してこの郵便物ｍをコード付与部６０に渡す機能とをもっている。
【００７３】
返却部５８は、差出人照合部５７に制御され、投函された郵便物ｍを差出人Ｓに返却する機能をもっている。
【００７４】
コード生成部５９は、図１４に示すように、郵便局カード４０から得られた差出人確認情報Ｄsc及び生体参照情報Ｄbsに対して、ポストＩＤ及びポスト投函日時からなる投函情報Ｄｐを付加し、ポスト投函日時に基づく暗号化方法により暗号化して暗号化情報Ｅ［Dsc，Dbs，Dp］を得る機能と、この暗号化情報Ｅ［Dsc，Dbs，Dp］をコード化し、得られたコード情報をコード付与部６０へ渡す機能とをもっている。
【００７５】
コード付与部６０は、コード生成部５９から受けたコード情報に基づいて二次元コードＣ[Dsc’，Dbs’，Dp’]を作成し、二次元コードＣ[Dsc’，Dbs’，Dp’]を郵便物ｍに付与する機能と、この付与後の郵便物ｍを郵便物物理情報計測部６１に渡す機能とをもっている。
【００７６】
郵便物物理情報計測部６１は、図１５に示すように、郵便物ｍの形状（縦、横、厚み）と重量といった物理量を計測して形状・重量データＤswを得る一方、郵便物ｍを撮影して得られた郵便物画像データをコード化して郵便物イメージ情報Ｄｍを得る機能と、これら形状・重量データＤsw及び郵便物イメージ情報Ｄｍを暗号化して暗号化郵便物情報Ｅ[Dsw，Dm]を得た後、この暗号化郵便物情報Ｅ[Dsw，Dm]をコード化し、得られた郵便物コード情報に基づいて生成された二次元コードＣ[Dsw’，Dm’]を郵便物ｍに付与する機能と、この付与後の郵便物ｍを格納部６２に格納する機能とをもっている。
【００７７】
格納部６２は、郵便物物理情報計測部６１により郵便物ｍが格納されると、引受局１０の郵便局員により回収されるまでこの郵便物ｍを保持する機能をもっている。なお、格納部６２に格納された郵便物ｍは、引受局１０の郵便局員によって回収されると、以下、前述同様に、適宜、中継局２０を経由して配達局３０に配送され、配達局３０の配達員Ｐを介して受取人Ｒに配達される。
【００７８】
一方、郵便局カード４０は、引受局１０内のカード作成機７０により作成された後、引受局１０から発行される。
カード作成機７０は、図１６に示すように、住所・名前入力部７１、バイオメトリクス入力部７２、個人情報入力部７３、暗号部７４及び作成部７５を備えている。
【００７９】
住所・名前入力部７１は、郵便局員の操作により、差出人Ｓの住所・名前を示す差出人情報ｄｓが入力されると、この差出人情報ｄｓに少なくとも本人確認ＩＤ（又は郵便物ＩＤ）を付加して差出人確認情報Ｄscを作成し、この差出人確認情報Ｄscを個人情報入力部７３に入力する機能をもっている。なお、住所は、郵便業務の効率化の観点から、郵便番号を含むことが好ましい。
【００８０】
バイオメトリクス入力部７２は、郵便局員の操作により、差出人Ｓの生体情報の一部（例、虹彩など）を採取して生体参照情報Ｄbsを生成し、この生体参照情報Ｄbsを個人情報入力部７３に入力する機能をもっている。
【００８１】
個人情報入力部７３は、図１１に示した如き、住所・名前入力部７１から受けた差出人確認情報Ｄscと、バイオメトリクス入力部７２から受けた生体参照情報Ｄbsとを暗号部７４に入力する機能をもっている。
【００８２】
暗号部７４は、個人情報入力部７３から受けた差出人確認情報Ｄsc及び生体参照情報Ｄbsを、現在の日時に応じて異なる暗号化法で暗号化し、図１０に示した如き、暗号化情報Ｅ［Ｄsc，Ｄbs］を得る機能と、この暗号化情報Ｅ［Ｄsc，Ｄbs］に、この暗号化法に用いた日時を暗号バージョン情報Ｅｖとして付加し、得られた暗号化個人情報Ｅｓを作成部７５に渡す機能とをもっている。
【００８３】
作成部７５は、暗号部７４から受けた暗号化個人情報Ｅｓを未発行の郵便局カード４０に書込む機能をもっている。
【００８４】
なお、各装置としての郵便局カード４０、郵便ポスト装置５０及びカード作成機７０は、それぞれハードウェア構成及び／又はソフトウェア構成により実現可能であるが、ソフトウェア構成を用いて実現される場合、対応する機能を実現させるためのプログラムが予め記憶媒体又はネットワークから、郵便局カード４０、郵便ポスト装置５０及びカード作成機７０のそれぞれのコンピュータにインストールされる。但し、郵便局カード４０は、演算の必要が無いので、演算機能を持たないメモリカードとして実現可能である。
【００８５】
次に、以上のように構成された郵便システムの動作を「カード発行手続」及び「郵送手続」の順に説明する。
（カード発行手続）
差出人Ｓは、運転免許証などの身元を確認し得る自己の身分証明書を保持して引受局１０へ行き、郵便局カード４０の発行を引受局１０に要求する。
【００８６】
引受局１０の郵便局員は、差出人Ｓから郵便局カード４０の発行を要求され、身分証明書等の差出人特定情報Ｄｓを提示されると、カード作成機７０の操作により、この差出人特定情報Ｄｓから住所・名前を示す差出人情報ｄｓを住所・名前入力部７１に入力する。
【００８７】
住所・名前入力部７１は、この差出人情報ｄｓに少なくとも本人確認ＩＤ（又は郵便物ＩＤ）を付加して差出人確認情報Ｄscを作成し、この差出人確認情報Ｄscを個人情報入力部７３に入力する。
【００８８】
なお、名前及び住所の入力作業は、本籍等の他の情報を入力される不安感を差出人Ｓに与えない観点から、別途、差出人Ｓにカード発行申込書を提出して頂くと共に、郵便局員がカード発行申込書と差出人特定情報Ｄｓとの整合性を確認して差出人特定情報Ｄｓを返却した後、このカード発行申込書を参照して行なうようにしてもよい。
【００８９】
また、引受局１０の郵便局員は、カード作成機７０の操作により、差出人Ｓの生体情報の一部（例、虹彩など）をバイオメトリクス入力部７２により採取し、生体参照情報Ｄbsを得る。
【００９０】
個人情報入力部７３は、図１１に示す如き、差出人確認情報Ｄscと生体参照情報Ｄbsとを暗号部７４に送る。
【００９１】
暗号部７４は、差出人確認情報Ｄsc及び生体参照情報Ｄbsを受けると、現在の日時に応じて異なる暗号化法で暗号化し、図１０（ａ）に示すように、暗号化情報Ｅ［Ｄsc，Ｄbs］を得る。
【００９２】
しかる後、暗号部７４は、この暗号化情報Ｅ［Ｄsc，Ｄbs］に、この暗号化法に用いた日時を暗号バージョン情報Ｅｖとして付加し、得られた暗号化個人情報Ｅｓを作成部７５に渡す。なお、この暗号化個人情報Ｅｓは、暗号化する前の情報Ｄsc，Ｄbsが同じであっても、暗号バージョン情報Ｅｖに応じて（一般には）異なるものとなる。例えば、同じＤsc，Ｄbsに対し、図１０（ａ）に示す場合、暗号バージョン情報Ｅｖは“２００１−１２−１３  ２３：１０”という値の日時情報であり、このＥｖに基づく暗号鍵により作成された暗号化情報Ｅ［Ｄsc，Ｄbs］は“２３７８…ｆｓｙｒ”という値の暗号文となる。一方、図１０（ｂ）に比較例の暗号化個人情報Ｅｓ＊を示すように、暗号バージョン情報Ｅｖ＊は“２００２−０１−０７  １５：３２”という値の日時情報であり、このＥｖ＊に基づく暗号鍵により作成された暗号化情報Ｅ＊［Ｄsc，Ｄbs］は“ｃｍ９８…７ｆ８ｙ”という値の暗号文となる。
【００９３】
作成部７５は、暗号化個人情報Ｅｓを未発行の郵便局カード４０に書込む。郵便局カード４０は、この暗号化個人情報ＥｓがＩ／Ｆ部４１を介して個人情報部４２内に、住所・名前部４３、バイオメトリクス部４４及び暗号バージョン部４５として記憶される。
【００９４】
これにより、郵便局カード４０が差出人Ｓに発行される。
【００９５】
（郵送手続）
差出人Ｓは、郵便物ｍと、自己の郵便局カード４０とを保持して郵便ポスト装置５０の設置場所に行く。
【００９６】
設置場所に着くと、差出人Ｓは、図１７に示すように、郵便ポスト装置５０のカード読取部５１に郵便局カード４０を挿入し（ＳＴ１）、自己の生体情報の一部（例、虹彩）をバイオメトリクス本人認証部５３に提示する（ＳＴ２）。
【００９７】
カード読取部５１は、郵便局カード４０からＩ／Ｆ部４１を通じて暗号化個人情報Ｅｓを読取り、この暗号化個人情報Ｅｓのうち、暗号化情報Ｅを暗号バージョン情報Ｅｖに基づいて復号し、得られた差出人確認情報Ｄsc及び生体参照情報Ｄbsを暗号更新部５２及び照合部５４へ送る。
【００９８】
一方、バイオメトリクス本人認証部５３は、差出人Ｓから提示された生体情報の一部を読取り、得られた生体測定情報Ｄbs＊を照合部５４に送出する。
【００９９】
照合部５４は、郵便局カード４０内の生体参照情報Ｄbsと、差出人Ｓから読取られた生体測定情報Ｄbs＊とが整合するか否かを判断し（ＳＴ３）、整合しない場合には、郵便物カード４０をカード読取部５１から返却して（ＳＴ４）、処理を終了する。なお、郵便物カード４０を返却せずに処理を終了してもよい。
【０１００】
一方、ステップＳＴ３の結果、整合する場合、照合部５４は、ポスト開閉部５５を制御してポスト投函口を開かせる。郵便物ｍは、ポスト投函口から投函されると（ＳＴ５）、差出人読取部５６に渡される。
【０１０１】
差出人読取部５６は、図１２（ａ）に示すような郵便物ｍから差出人情報ｄｓを読取り（ＳＴ６）、差出人情報ｄｓを差出人照合部５７に渡す。
【０１０２】
差出人照合部５７は、ステップＳＴ６で読取られた差出人情報ｄｓと、ステップＳＴ１の後にカード読取部５１から受けた差出人確認情報Ｄscとが整合するか否かを照合し（ＳＴ７）、整合しない場合には、郵便物カード４０をカード読取部５１から返却すると共に、郵便物ｍを返却部５８から差出人Ｓに返却して（ＳＴ４）、処理を終了する。
【０１０３】
一方、ステップＳＴ７の結果、整合する場合、差出人照合部５７は、図１２（ｂ）に示すように、確認済マークＭｃを郵便物ｍに付与する（ＳＴ８）。
【０１０４】
コード生成部５９は、郵便局カード４０から得られた差出人確認情報Ｄsc及び生体参照情報Ｄbsに対して、図１４に示すように、ポストＩＤ及びポスト投函日時からなる投函情報Ｄｐを付加し、ポスト投函日時に基づく暗号化方法により暗号化して暗号化情報Ｅ［Dsc，Dbs，Dp］を得る。しかる後、コード生成部５９は、この暗号化情報Ｅ［Dsc，Dbs，Dp］をコード化し、得られたコード情報をコード付与部６０へ渡す。
【０１０５】
コード付与部６０は、このコード情報に基づいて二次元コードＣ[Dsc’，Dbs’，Dp’]を作成し、図１３（ａ）に示すように、二次元コードＣ[Dsc’，Dbs’，Dp’]を郵便物ｍに付与する（ＳＴ９）。
【０１０６】
さらに、郵便物物理情報計測部６１では、図１５に示すように、郵便物ｍの形状（縦、横、厚み）と重量といった物理量を計測して形状・重量データＤswを得る一方（ＳＴ１０）、郵便物ｍを撮影して得られた郵便物画像データをコード化して郵便物イメージ情報Ｄｍを得る。
【０１０７】
次いで、郵便物物理情報計測部６１は、これら形状・重量データＤsw及び郵便物イメージ情報Ｄｍを暗号化して暗号化郵便物情報Ｅ[Dsw，Dm]を得た後、この暗号化郵便物情報Ｅ[Dsw，Dm]をコード化し、図１３（ｂ）に示すように、得られた郵便物コード情報に基づいて生成された二次元コードＣ[Dsw’，Dm’]を郵便物ｍに付与する（ＳＴ１１）。
【０１０８】
しかる後、郵便物ｍは、格納部６２に格納され（ＳＴ１２）、引受局１０による回収まで保持される。
また、郵便物ｍの格納後、暗号更新部５２は、ポスト投函日時に基づいて、差出人確認情報Ｄsc及び生体参照情報Ｄbsを暗号化し、得られた暗号化情報Ｅ［Ｄsc，Ｄbs］に、この暗号化法に用いた日時を暗号バージョン情報Ｅｖとして付加し、得られた暗号化個人情報Ｅｓを郵便局カード４０に入力する。
【０１０９】
これにより、郵便局カード４０内の暗号化個人情報Ｅｓが更新される。正確には、郵便局カード４０内の暗号化個人情報Ｅｓに埋込まれた差出人確認情報Ｄsc及びバイオメトリクス情報Ｄbs自体は不変であるが、暗号化法が更新されるので（ＳＴ１３）、暗号化個人情報Ｅｓの値が異なる値に変更される。なお、更新の際には、差出人Ｓの成長による生体情報の変化を補正する観点から、前述した生体参照情報Ｄbsに代えて、今回の生体測定情報Ｄbs＊を用いてもよい。
【０１１０】
一方、格納部６２内の郵便物ｍは、引受局１０により回収されて区分され、中継局２０及び配達局３０を介して受取人Ｒに配達される。
【０１１１】
受取人Ｒは、所望により、配達された郵便物ｍの差出人Ｓの確認を配達員又は配達局３０に依頼する。
【０１１２】
このとき、配達員又は配達局３０の窓口担当は、差出人情報取得装置３１の操作により、二次元コードＣ[Dsc’，Dbs’，Dp’]から差出人確認情報Ｄscに含まれる少なくとも差出人情報ｄｓを差出人情報取得装置３１に取得し、二次元コードＣ[Dsw’，Dm’]から郵便物ｍの形状・重量データＤsw及び郵便物イメージ情報Ｄｍを差出人情報取得装置３１に取得する。
【０１１３】
続いて、配達員又は配達局３０の窓口担当は、これら差出人情報ｄｓ及び形状・重量データＤswを表示した差出人情報取得装置３１の表示画面と、郵便物イメージ情報Ｄｍに基づいて郵便物画像を表示した差出人情報取得装置３１の表示画面とを切換えつつ又は同時に受取人Ｒに提示する。
【０１１４】
このとき、差出人情報ｄｓの提示により、差出人Ｓの身元が確認され、形状・重量データＤsw及び郵便物画像の提示により、郵便物ｍのすり替えが無い旨が確認されるので、受取人Ｒが安心して郵便物ｍを開封することができる。
【０１１５】
上述したように本実施形態によれば、第１の実施形態における郵便局員による身分証明書の比較照合に代えて、郵便ポスト装置５０による郵便局カード４０の比較照合を用いるように構成しても、第１の実施形態と同様の効果を得ることができる。
【０１１６】
また、各差出人Ｓに発行される郵便局カード４０は、日時等を用いた暗号バージョン情報Ｅｖにより、それぞれ異なる暗号化法で記憶内容が暗号化されているので、第三者による不正な解読、改ざん及び偽造が困難となっている。
【０１１７】
また、バイオメトリクス技術を用いて差出人Ｓの本人認証を行なうので、正規の郵便局カード４０が盗難にあっても、第三者に不正に使用されることを防ぐことができる。
【０１１８】
さらに、郵便局カード４０内の生体参照情報は、郵便ポスト装置５０により更新記憶されるので、差出人Ｓの成長・老化等により生体測定情報Ｄsb’が変化しても、本人を他人と誤認しないように、その変化を踏まえた本人認証を行なうことができる。
【０１１９】
また、郵便物物理情報計測部６１が、郵便物ｍの物理量を計測し、計測結果（形状・重量データＤsw）を含む二次元コードＣ[Dsw’，Dm’]を郵便物ｍに付与するので、郵便物ｍのすり替えを阻止することができる。同様に、この二次元コードＣ[Dsw’，Dm’]には、郵便物ｍの撮影結果（郵便物イメージ情報Ｄｍ）を含むので、より確実に、郵便物ｍのすり替えを阻止することができる。
【０１２０】
なお、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１２１】
また、この記憶媒体としては、プログラムを記憶でき、かつコンピュータが読み取り可能な記憶媒体であれば、その記憶形式は何れの形態であっても良い。
【０１２２】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【０１２３】
さらに、本発明における記憶媒体は、コンピュータと独立した媒体に限らず、ＬＡＮやインターネット等により伝送されたプログラムをダウンロードして記憶または一時記憶した記憶媒体も含まれる。
【０１２４】
また、記憶媒体は１つに限らず、複数の媒体から本実施形態における処理が実行される場合も本発明における記憶媒体に含まれ、媒体構成は何れの構成であっても良い。
【０１２５】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【０１２６】
また、本発明におけるコンピュータとは、パソコンに限らず、情報処理機器に含まれる演算処理装置、マイコン等も含み、プログラムによって本発明の機能を実現することが可能な機器、装置を総称している。
【０１２７】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合、組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【０１２８】
その他、本発明はその要旨を逸脱しない範囲で種々変形して実施できる。
【０１２９】
【発明の効果】
以上説明したように本発明によれば、差出人不明の不審な郵便物が配送されることを阻止でき、受取人に安心感を与えることができる。
【図面の簡単な説明】
【図１】本発明の第１の実施形態に係る郵便システムの構成を示す模式図
【図２】同実施形態における差出人特定情報発行部の構成を示す模式図
【図３】同実施形態における郵便物の一例を示す模式図
【図４】同実施形態における差出人確認情報の一例を示す模式図
【図５】同実施形態における二次元コードの一例を示す模式図
【図６】同実施形態における二次元コードの一例を示す模式図
【図７】同実施形態における差出人情報取得装置の構成を示す模式図
【図８】本発明の第２の実施形態に係る郵便システムの構成を示す模式図
【図９】同実施形態における郵便局カードの構成を示す模式図
【図１０】同実施形態における個人情報部を説明するための模式図
【図１１】同実施形態における個人情報部を説明するための模式図
【図１２】同実施形態における郵便物の一例を示す模式図
【図１３】同実施形態における郵便物の一例を示す模式図
【図１４】同実施形態における投函情報の付加を説明するための模式図
【図１５】同実施形態における形状・重量データ及び郵便物イメージ情報を示す模式図
【図１６】同実施形態におけるカード作成機の構成を示す模式図
【図１７】同実施形態における動作を説明するためのフローチャート
【符号の説明】
１０…引受局
１１…差出人特定情報発行部
１２…情報入力部
１３…暗号化部
１４，５９…コード生成部
１５，６０…コード付与部
２０…中継局
３０…配達局
３１…差出人情報取得装置
３２…読取部
３３…復号部
３４…表示部
４０…郵便局カード
４１…Ｉ／Ｆ部
４２…個人情報部
４３…住所・名前部
４４…バイオメトリクス部
４５…暗号バージョン部
５０…郵便ポスト装置
５１…カード読取部
５２…暗号更新部
５３…バイオメトリクス本人認証部
５４…照合部
５５…ポスト開閉部
５６…差出人読取部
５７…差出人照合部
５８…返却部
６１…郵便物物理情報計測部
６２…格納部
７０…カード作成機
７１…住所・名前入力部
７２…バイオメトリクス入力部
７３…個人情報入力部
７４…暗号部
７５…作成部
Ｓ…差出人
Ｐ…配達員
Ｒ…受取人
ｍ…郵便物
Ｄｓ…差出人特定情報
ｄｒ…受取人情報
ｄｓ…差出人情報
Ｄsc…差出人確認情報
Ｃ…二次元コード
Ｍｃ…確認済マーク
Ｅｓ…暗号化個人情報
Ｅ…暗号化情報
Ｅｖ…暗号バージョン情報
Ｄbs…生体参照情報
【図１】
0004157315.tif 000002
【図２】
0004157315.tif 000003
【図３】
0004157315.tif 000004
【図４】
0004157315.tif 000005
【図５】
0004157315.tif 000006
【図６】
0004157315.tif 000007
【図７】
0004157315.tif 000008
【図８】
0004157315.tif 000009
【図９】
0004157315.tif 000010
【図１０】
0004157315.tif 000011
【図１１】
0004157315.tif 000012
【図１２】
0004157315.tif 000013
【図１３】
0004157315.tif 000014
【図１４】
0004157315.tif 000015
【図１５】
0004157315.tif 000016
【図１６】
0004157315.tif 000017
【図１７】
0004157315.tif 000018